(57)【要約】    【課題】  青果物などの陳列物の種々の大きさ、種々の形状などに対応できる陳列の演出に優れた商品陳列台を提供すること。  【解決手段】  平面部材１１１と垂直部材１１２とからなる略Ｌ字断面形状の商品陳列基台１１と、商品陳列基台１１と組み合わせて用いる商品陳列基台１１より小さなＬ字断面形状の商品補助部材１２からなり、商品陳列基台１１は、商品補助部材１２が嵌め込まれる商品陳列補助部材１２と略同形状の内側コーナー凹部１３、内側コーナー凹部１３の水平面１１７側の中間に配設される第１横溝１１５と、平面部材１１１の上面且つ内側コーナー凹部１３の水平面１７側の端部に配設される第２横溝１１４とからなる。【選択図】      図１
2005152389.tif 000002
【特許請求の範囲】
【請求項１】
平面部材と垂直部材とからなる略Ｌ字断面形状の商品陳列基台と、該商品陳列基台と組み合わせて用いる該商品陳列基台より小さなＬ字断面形状の商品補助部材からなり、該商品陳列基台の平面部材の上面に、第１横溝と第２横溝を形成してなることを特徴とする商品陳列台。
【請求項２】
前記商品陳列基台は、該商品補助部材が嵌め込まれる該商品陳列補助部材と略同形状の内側コーナー凹部を、更に有することを特徴とする請求項１記載の商品陳列台。
【請求項３】
前記商品補助部材のＬ字の長手部材の縁部を前記第２横溝に係合させ、Ｌ字の短手部材の縁部を前記商品陳列基台の垂直部材に当接させることにより、２段のひな壇形状の商品陳列面を形成することを特徴とする請求項１又は２記載の商品陳列台。
【請求項４】
前記商品補助部材のＬ字の長手部材の縁部を、Ｌ字の短手部材の縁部が前記商品陳列基台の垂直部材とは反対方向を向くように、前記第２横溝に係合させることにより、コ字断面形状の商品陳列面を形成することを特徴とする請求項１又は２記載の商品陳列台。
【請求項５】
前記商品補助部材を前記商品陳列基台の内側コーナー凹部に収納させ、Ｌ字の商品陳列面を形成することを特徴とする請求項２記載の商品陳列台。
【請求項６】
前記商品陳列基台の平面部材と垂直部材の陳列面側に縦溝を横方向に等ピッチで多数形成し、前記商品補助部材にスリットを横方向に前記ピッチと同一のピッチで多数形成すると共に、該平面部材の縦溝に係合する第１係止片と、該垂直部材の縦溝の係合する第２係合片と、該スリットに係合する第３係止片を有する仕切り板を更に有することを特徴とする請求項１〜３又は５のいずれか１項記載の商品陳列台。
【請求項７】
前記商品陳列基台を複数台用い、一の商品陳列基台の垂直部材の先端と、他の商品陳列基台の平面部材の先端を接続することにより、多段のひな壇形状の商品陳列面を形成することを特徴とする請求項１〜６のいずれか１項記載の商品陳列台。
【発明の詳細な説明】
【技術分野】
【０００１】
本発明は、主にスーパー、百貨店、専門店、コンビニエンスストアー等の店内の陳列ース棚で特に青果物を陳列するのに用いられ、陳列物の種々の大きさ、種々の形状に対応できる陳列の演出に優れた商品陳列台に関するものである。
【背景技術】
【０００２】
近年、スーパー、百貨店、専門店、コンビニエンスストアー等の店内で例えば青果物の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【特許文献１】特開２００１−１９７９８４号公報（請求項１）
【発明の開示】
【発明が解決しようとする課題】
【０００３】
しかしながら、上記の陳列棚は一体型であるため、一の斜面と続く斜面の間隔は一定であり、変化させることができない。このため、模様替えにより大きさの異なる青果物を入れ替える場合、対応できないケースがある。
【０００４】
従って、本発明の目的は、青果物などの陳列物の種々の大きさ、種々の形状などに対応できる陳列の演出に優れた商品陳列台を提供することにある。
【課題を解決するための手段】
【０００５】
すなわち、本発明（１）は、平面部材と垂直部材とからなる略Ｌ字断面形状の商品陳列基台と、該商品陳列基台と組み合わせて用いる該商品陳列基台より小さなＬ字断面形状の商品補助部材からなり、該商品陳列基台の平面部材の上面に、第１横溝と第２横溝を形成してなる商品陳列台を提供するものである。
【０００６】
また、本発明（２）は、前記商品陳列基台は、該商品補助部材が嵌め込まれる該商品陳列補助部材と略同形状の内側コーナー凹部を、更に有する前記商品陳列台を提供するものである。
【０００７】
また、本発明（３）は、前記商品補助部材のＬ字の長手部材の縁部を前記第２横溝に係合させ、Ｌ字の短手部材の縁部を前記商品陳列基台の垂直部材に当接させることにより、２段のひな壇形状の商品陳列面を形成する前記商品陳列台を提供するものである。
【０００８】
また、本発明（４）は、前記商品補助部材のＬ字の長手部材の縁部を、Ｌ字の短手部材の縁部が前記商品陳列基台の垂直部材とは反対方向を向くように、前記第２横溝に係合させることにより、コ字断面形状の商品陳列面を形成する前記商品陳列台を提供するものである。
【０００９】
また、本発明（５）は、前記商品補助部材を前記商品陳列基台の内側コーナー凹部に収納させ、Ｌ字の商品陳列面を形成する前記商品陳列台を提供するものである。
【００１０】
また、本発明（６）は、前記商品陳列基台の平面部材と垂直部材の陳列面側に縦溝を横方向に等ピッチで多数形成し、前記商品補助部材にスリットを横方向に前記ピッチと同一のピッチで多数形成すると共に、該平面部材の縦溝に係合する第１係止片と、該垂直部材の縦溝の係合する第２係合片と、該スリットに係合する第３係止片を有する仕切り板を更に有することを特徴とする前記商品陳列台を提供するものである。
また、本発明（７）は、前記商品陳列基台を複数台用い、一の商品陳列基台の垂直部材の先端と、他の商品陳列基台の平面部材の先端を接続することにより、多段のひな壇形状の商品陳列面を形成することを特徴とする請求項１〜６のいずれか１項記載の商品陳列台平面部材と垂直部材とからなる略Ｌ字断面形状の商品陳列基台と、該商品陳列基台と組み合わせて用いる該商品陳列基台より小さなＬ字断面形状の商品補助部材からなり、該商品陳列基台は、該商品補助部材が嵌め込まれる該商品陳列補助部材と略同形状の内側コーナー凹部と、該内側コーナー凹部の水平面側の中間に配設される第１横溝と、該平面部材の上面且つ該内側コーナー凹部の水平面側の端部に配設される第２横溝とからなる商品陳列台を提供するものである。
【発明の効果】
【００１１】
本発明によれば、大小２つのＬ字断面形状の部材の組み合わせで、単段で３種の陳列形態を演出できる。また、更に仕切り板を組み合わせたり、多段の陳列形態とすることで、青果物などの陳列物の種々の大きさ、種々の形状などに対応でき、陳列の演出を高めることができる。
【発明を実施するための最良の形態】
【００１２】
本発明の第１の実施の形態における商品陳列台について図１〜図４を参照して説明する。図１は本例の実施の形態における商品陳列台の分解斜視図、図２は第１の陳列形態を示す横から見た図、図３は第２の陳列形態を示す横から見た図、図４は第３の陳列形態を示す横から見た図をそれぞれ示す。
【００１３】
第１の実施の形態における商品陳列基台１０、は平面部材１１１と垂直部材１１２とからなる略Ｌ字断面形状の商品陳列基台１１と、商品陳列基台１１と組み合わせて用いる商品陳列基台１１より小さなＬ字断面形状の商品補助部材１２からなる。商品陳列基台１１は、商品補助部材１２が嵌め込まれる商品陳列補助部材１２と略同形状の内側コーナー凹部１１３と、内側コーナー凹部１１３の水平面１１７側の中間に配設される第１横溝１１５と、平面部材１１１の上面且つ内側コーナー凹部１１３の水平面側の端部に配設される第２横溝１１４とからなる。
【００１４】
第１の実施の形態における商品陳列基台１０の組み付け形態は次の３形態が挙げられる。第１の組み付け形態は、図２に示すように、商品補助部材１２のＬ字の長手部材の縁部１２３を第２横溝１１４に係合させ、Ｌ字の短手部材の縁部１２４を商品陳列基台１１の垂直部材１１２に当接させることにより、２段のひな壇形状の商品陳列面を形成する形態である。この第１の組み付け形態によれば、オレンジ、グレープフルーツ等の小さい丸物商品Ａの陳列、あるいはパック物、ほうれん草などの葉っぱ物を底上げしたボリュウム感のある陳列などに適する。
【００１５】
第２の組み付け形態は、図３に示すように、商品補助部材１２のＬ字の長手部材の縁部１２３を、Ｌ字の短手部材の縁部１２４が商品陳列基台１１の垂直部材１１２とは反対方向を向くように、第２横溝１１５に係合させることにより、コ字断面形状の商品陳列面を形成する形態である。この第２の組み付け形態によれば、パック物Ｂの陳列に適したものとなる。特にいちご、桃などは重ねたり傾けたりすると傷み易いため、この第２の組み付け形態で陳列することが好ましい。
【００１６】
第３の組み付け形態は、図４に示すように、商品補助部材１２を商品陳列基台１１の内側コーナー凹部１１３に収納させ、Ｌ字の商品陳列面を形成する形態である。この第３の組み付け形態によれば、メロン、小玉スイカなどの大きい丸物商品Ｃの陳列、ねぎ、ごぼうなどの長物商品の陳列、オレンジ、グレープフルーツ等の小さい丸物商品の大量の陳列にそれぞれ適する。
【００１７】
第１の実施の形態における商品陳列基台１０の変形例を図８に示す。図８において、図１又は図２と同一構成要素には同一符号を付してその説明を省略し、異なる点について主に説明する。すなわち、図８において、図１又は図２と異なる点は、商品陳列基台１０ａの商品陳列基台１１において、商品補助部材１２が嵌め込まれる商品陳列補助部材１２と略同形状の内側コーナー凹部１１３を省略した点にある。図８の商品陳列基台１０ａの組み付け形態としては、図２及び図３に示す組み付け形態を採ることができる。
【００１８】
次に、第２の実施の形態における商品陳列台２０について図５を参照して説明する。図５は本例の実施の形態における商品陳列台２０を横から見た図である。図５の商品陳列台２０は３台の商品陳列台１０ａ、１０ｂ、１０ｃをひな壇形状の陳列面となるように組み付けあるいは接続し、全体を水平面に対してα度後方へ傾斜させたものである。具体的には、下段の商品陳列基台１０ａの垂直部材１１２の先端ａと、中段の商品陳列基台１１ｂの平面部材１１１の先端ｂを接続し、中間の商品陳列基台１１ｂの垂直部材１１２の先端ａと、上段の商品陳列基台１０ｃの平面部材１１１の先端ｂを接続し、不図示の支持台上に載置したものである。
【００１９】
図５の商品陳列台２０において、下段の陳列面は上記第１の組み付け形態であり、中段の陳列面は上記第３の組み付け形態であり、上段の陳列面は上記第２の組み付け形態である。商品陳列台２０によれば、少ない使用部材で陳列物の種々の大きさ、種々の形状に対応できる陳列面を形成でき、陳列の演出効果を高めることができる。
【００２０】
商品陳列台２０において、各段の陳列形態は図５の形態に制限されず、各段が上記第１の組み付け形態から第３の組み付け形態のいずれかの形態を適宜選択することができる。また、３段のひな壇形状に限定されず、２段または４段以上であってもよい。更にまた、傾斜角度αは適宜の角度で決定される。
【００２１】
次に、第３の実施の形態における商品陳列台３０について図６を参照して説明する。図６において、図１〜図５と同一構成要素には同一符号を付してその説明を省略し、異なる点について主に説明する。図６の商品陳列台３０において、図５の商品陳列台２０と主に異なる点は、商品陳列基台１１の平面部材１１１と垂直部材１１２の陳列面側に縦溝３２を横方向に等ピッチで多数形成し、商品補助部材１２にスリット３１を横方向に前記ピッチと同一のピッチで多数形成した点、及び平面部材の縦溝３２１に係合する第１係止片１３３と、垂直部材１１２の縦溝３２２に係合する第２係合片１３１と、スリット３１に係合する第３係止片１３２を有する仕切り板１４を更に設けた点である。
【００２２】
ピッチの寸法としては、特に制限されないが、例えば３〜５ｃｍの範囲で適宜決定される。また、商品陳列基台１１又は商品補助部材１２のそれぞれ１個における縦溝数又はスリット数としては、特に制限されないが、例えば１０〜２５の範囲で適宜決定される。
【００２３】
図６の商品陳列台３０は、上記第１の組み付け形態及び上記第３の組み付け形態を適用したものである。商品陳列台３０の第１の組み付け形態において、先ず商品陳列基台１１上、商品補助部材１２は商品陳列基台１１の縦溝３２と商品補助部材１２のスリット３１が対向するように設置される。次いで、仕切り板１４を所望の場所におき、第１係止片１３３が平面部材の縦溝３２１に係合するように、第２係合片１３１が垂直部材１１２の縦溝３２２に係合するように、第３係合片１３２がスリット３１に係合するように組み付ける。このようにして商品陳列台３０の組み付けが完成する。また、商品陳列台３０の第３の組み付け形態においても、同様の方法で仕切り板１４を組み付けることができる。
【００２４】
商品陳列台３０の第１の組み付け形態を適用した陳列面によれば、図６の左側の陳列段及び中央の陳列段にあるように、オレンジ、グレープフルーツ等の小さい丸物商品Ａあるいはパック物Ｂを、隣接する陳列商品と区画されたボリューム感のある陳列とすることができる。また、商品の横への転落を防止することができる。商品陳列台３０の第３の組み付け形態を適用した陳列面によれば、図６の右側の陳列段にあるように、長物Ｄを隣接する陳列商品と区画されたボリューム感のある陳列とすることができる。また、商品の横への転落を防止することができる。
【００２５】
次に、第４の実施の形態における商品陳列台３０について図７を参照して説明する。図７において、図６と同一構成要素には同一符号を付してその説明を省略し、異なる点について主に説明する。図７の商品陳列台４０において、図６の商品陳列台３０と異なる点は、組み付け形態を第２の組み付け形態とした点及び仕切り板の設置を省略した点にある。すなわち、商品陳列台３０は、図３の商品陳列台１０において、縦溝が形成された商品陳列基台１１及びスリットが形成された商品補助部材１２を用いたものである。
【００２６】
商品陳列台３０によれば、図３における商品陳列台１０と同様の効果を奏するほか、縦溝やスリットが意匠性を高め、演出効果を高めることができる。また、図７の商品陳列台４０において、不図示の仕切り板を平面部材１１１にある縦溝３２１と垂直部材１１２にある縦溝３２２のそれぞれに係合するように設置してもよい。このような陳列方法によれば、パック物Ｂを、隣接する陳列商品と区画されたボリューム感のある陳列とすることができる。また、商品の横への転落を防止することができる。
【図面の簡単な説明】
【００２７】
【図１】第１の実施の形態における商品陳列台の分解斜視図を示す。
【図２】第１の実施の形態における商品陳列台の第１の陳列形態を示す横から見た図を示す。
【図３】第１の実施の形態における商品陳列台の第２の陳列形態を示す横から見た図を示す。
【図４】第１の実施の形態における商品陳列台の第３の陳列形態を示す横から見た図を示す。
【図５】第２の実施の形態における商品陳列台を横から見た図を示す。
【図６】第３の実施の形態における商品陳列台の斜視図を示す。
【図７】第４の実施の形態における商品陳列台の斜視図を示す。
【図８】第１の実施の形態の変形例における商品陳列台の分解斜視図を示す。
【符号の説明】
【００２８】
１０、１０ａ、２０、３０、４０    商品陳列基台
１１    商品陳列基台
１２    商品補助部材
１３    内側コーナー凹部
１４    仕切り板
３１    スリット
３２    縦溝
１１１  平面部材
１１２  垂直部材
１１４  第２横溝
１１５  第１横溝
１１７  水平面
１２３  長手部材の縁部
１２４  短手部材の縁部
１３３  第１係止片
１３１  第２係止片
１３２  第３係止片
Ａ      小さい丸物商品
Ｂ      パック物商品
Ｃ      大きな丸物商品
Ｄ      長物商品
【図１】
2005152389.tif 000003
【図２】
2005152389.tif 000004
【図３】
2005152389.tif 000005
【図４】
2005152389.tif 000006
【図５】
2005152389.tif 000007
【図６】
2005152389.tif 000008
【図７】
2005152389.tif 000009
【図８】
2005152389.tif 000010